(57)【要約】【課題】設置場所の制約を受けないアルカリイオン生成器を提供することにある。そして、台所自体の使用に対して、さらに快適性を向上させることができるアルカリイオン生成器を提供する。【解決手段】据置型のイオン水生成器において、イオン水生成器の設置面よりも側方に膨出する転倒防止部材を着脱自在に取り付けたことを特徴とするイオン水生成器とした。また、転倒防止部材は、イオン生成器から側方に膨出する前出寸法を可変することを特徴とするイオン水生成器とした。さらに、転倒防止部材は、イオン生成器の設置面から側方に膨出しないように収められることを特徴とするイオン水生成器とした。【選択図】　図１
2004089960.tif 000002
【特許請求の範囲】
【請求項１】
据置型のイオン水生成器において、イオン水生成器の設置面よりも側方に膨出する転倒防止部材を着脱自在に取り付けたことを特徴とするイオン水生成器。
【請求項２】
前記転倒防止部材は、イオン生成器から側方に膨出する前出寸法を可変することを特徴とする請求項１のイオン水生成器。
【請求項３】
前記転倒防止部材は、イオン生成器の設置面から側方に膨出しないように収められることを特徴とする請求項１または２に記載のイオン水生成器。
【請求項４】
前記転倒防止部材は、長さを設置面の短手方向の寸法よりも長くかつ設置面の長手方向の寸法よりも短くしかつ幅を設置面の短手方向の寸法より小さくし、さらに長手方向に沿ってねじ径よりも大きくねじ頭より小さいスリットを有した細長形状であり、この転倒防止部材を所定の範囲を可動するようにスリットを介してねじでイオン水生成器の設置面に固定していることを特徴とする請求項１〜３のいずれか１つに記載のイオン水生成器。
【請求項５】
前記転倒防止部材が前記生成器の２面以上に取り付け可能としたことを特徴とする請求項１〜４のいずれか１つに記載のイオン水生成器。
【請求項６】
据置型の薄型イオン水生成器において、コの字型形状で装置側面を挟み込む部材と前記部材と壁面とを固定する部材とから成り、前記両部材が装置と固定する壁面の距離を調整可能に構成され、これを転倒防止部材として用いることを特徴とするイオン水生成器。
【発明の詳細な説明】
【０００１】
【発明の属する技術分野】
本発明は、水を電気分解する据置型のイオン水生成器に関する。
【０００２】
【従来の技術】
イオン水生成器１００は、台所用の家庭用器具として広く浸透しつつあり、特に、シンク２６周辺に設置される据置型が、家庭用イオン水生成器１００の主流となっている。
【０００３】
図１４に示すように、従来の据置型のイオン水生成器１００は、水栓２３に接続した切替弁３５から分岐ホース１１を介して、原水をイオン水生成器１００内に導入し、内蔵した浄水カートリッジで浄化され、さらに電解槽でイオン分解処理されたイオン水を吐水管４により吐出する。
【０００４】
【非特許文献１】
ＴＯＴＯ　総合カタログ、２００２−２００３版、Ｐ．７３０
【０００５】
【発明が解決しようとする課題】
この従来の据置型のイオン水生成器１００は、流しのシンクトップ２６ａ上に設置して使用されるため、設置場所を確保する必要がある。
しかしながら、流しのシンクトップ２６ａにおいて、フラット面を有する部分は限られており、安定してイオン水生成器１００を配置することが困難な場合が少なくない。
さらに、流しのシンクトップ２６ａは、台所で使用する他の備品を設置することにも利用されている。この場合、さらにイオン水生成器１００を設置する空間は小さくなり、設置場所に制約を受けてしまう。
【０００６】
上記問題点を克服するため、生成器本体は小型化や薄型化の傾向にあるが、小型化や薄型化は装置の安定性を損なうこととなる。
【０００７】
シンクトップ周りでの設置安定性が確保されないと、転倒してシンク内へ浸漬し、漏電や感電等の危険性が出てくる。
この為、小型や薄型のイオン水生成器には転倒防止の手段が不可欠であるが、元々、設置場所の制約を回避するための小型化、薄型かであるため、転倒部材もこの主旨を満足するものでなくてはならない。
本発明の目的は、上記の問題点を解決すべく、薄型のイオン水生成器の転倒防止手段を考案することにより、設置場所への制約がなく、しかも転倒防止し難い安定して設置可能なイオン水生成器を提供することにある。
【０００８】
【課題を解決するための手段】
前記課題を克服するために、本発明の請求項１では、据置型のイオン水生成器において、イオン水生成器の設置面よりも側方に膨出する転倒防止部材を着脱自在に取り付けたことを特徴とするイオン水生成器とした。
【０００９】
これにより、使用者の台所事情つまり、転倒防止の必要是非に応じて使用者自身が転倒防止部材を選択することができる。すなわち、台所に設置する他の装置の間に挟んで使用する場合や床面に対して平面状に設置する場合などは転倒の心配がない為、転倒防止部材を取り外して使用することができる。逆に、シンク周りに据置設置する場合等は転倒防止として転倒防止部材と適用することができる。
【００１０】
本発明の請求項２では、前記転倒防止部材は、イオン生成器から側方に膨出する前出寸法を可変することを特徴とする請求項１のイオン水生成器とした。
【００１１】
これにより、設置場所や生成器本体の設置状態により、転倒防止部材を効果的に活用することができる。すなわち、生成器本体の設置面前後に余裕があれば、転倒防止部材の生成器前後からの前出を均等に取り付ける。逆に、生成器前後のどちらかにしか余裕がないのであれば、余裕のある側に前出を確保し、余裕のない側は前出を極力小さくする。生成器前後の前出を使用者が調整可能にすることで、台所事情に適した設置をすることができる。
【００１２】
本発明の請求項３では、前記転倒防止部材は、イオン生成器の設置面から側方に膨出しないように収められることを特徴とする請求項１または２に記載のイオン水生成器とした。
【００１３】
これにより、転倒防止部材が必要のない台所で使用する場合は、生成器本体に格納されているので目立たず、紛失の心配がないので、台所レイアウトの変更や引越しの際に台所事情が変わって転倒防止部材が必要となったとしても困ることがない。
【００１４】
本発明の請求項４では、前記転倒防止部材は、長さを設置面の短手方向の寸法よりも長くかつ設置面の長手方向の寸法よりも短くしかつ幅を設置面の短手方向の寸法より小さくし、さらに長手方向に沿ってねじ径よりも大きくねじ頭より小さいスリットを有した細長形状であり、この転倒防止部材を所定の範囲を可動するようにスリットを介してねじでイオン水生成器の設置面に固定していることを特徴とする請求項１〜３のいずれか１つに記載のイオン水生成器とした。
【００１５】
これにより、転倒防止部材をねじに対してスリットに沿ってスライドすることができるため、側方からの前出寸法を調整することができる。さらに、転倒防止部材が不使用な場合には、設置面内に収納することができる。
したがって、台所事情に合わせて、転倒防止部材を調整してイオン水生成器が転倒しないようにすることができる。
【００１６】
本発明の請求項５では、前記転倒防止部材が前記生成器の２面以上に取り付け可能としたことを特徴とする請求項１〜４のいずれか１つに記載のイオン水生成器とした。
【００１７】
これにより、イオン水生成器のどの面を設置面にしても、転倒の心配のないイオン水生成器とすることができる。どの面をも設置面とできることで台所設置での制約条件をさらに少なくすることができる。
【００１８】
本発明の請求項６は、据置型の薄型イオン水生成器において、コの字型形状で装置側面を挟み込む部材と前記部材と壁面とを固定する部材とから成り、前記両部材が装置と固定する壁面の距離を調整可能に構成され、これを転倒防止部材として用いることを特徴とするイオン水生成器とした。
【００１９】
これにより、請求項１〜４に記載の床設置面取り付けの転倒防止部材が使用できない場合においても、この前記部材を用いることで、台所の壁面を使用し生成器の転倒防止をすることができる。
【００２０】
【発明の実施の形態】
以下に図面を参照して本発明をより具体的に説明する。
図１に本発明におけるイオン水生成器１の実施例を示す。
このイオン水生成器１は、図９、図１０に示すように、イオン水を生成する電解槽３１、制御部３３、電源基板（トランス）３２を内部に備えている。特に、このイオン水生成器１は、イオン水を生成する電解槽３１と原水（水道水）の異物等を除去する浄水カートリッジケース３７とが着脱可能に軟着されている。
【００２１】
また、このイオン水生成器１は、図１に示すように、その本体の少なくとも３面を設置面１５、１８、２０、（１９）として選択可能とすることで、台所事情に合わせて設置形態を変えることができる。
特に、イオン水生成器１は、薄型の箱形状をしており、幅狭の長手の側面１６に操作部２を配置している。また、設置面としては、少なくともこの操作部２を有する側面１６に対向する側面１８と、この操作部２を有する側面１６に隣接する２側面１５、２０、（１９）とから選択できるように構成することが好ましい。
さらに、浄水カートリッジケースのイオン水生成器１と対向する側面１７も設置面として利用することができる。
【００２２】
そして、全側面１５、１６、１７、１８、１９、２０が平面形状にて形成されていると固定具を用いずにも操作部２の側面１６を除く側面を設置面として安定して配置することができる。
さらに、幅広の側面１５、２０を金属板で形成すると、その側面１５、２０が上面となるように設置よい。
【００２３】
さらに、カルシウム等の溶質を添加する添加口１３を操作部２と同一側面１６に設けている。
なお、図１は、操作部２と対向する幅狭の長手の側面１８を設置面とした場合を示している。
【００２４】
また、図１に示すように、イオン水生成器１のイオン水を使用者に供給する吐水管４は、操作部２を有する側面１６に配置するとよい。
具体的には、この吐水管４は、斜め方向（約４５度）に突設させた突設部５にフレキシブルホース６を接続している。そして、この突設部５は３６０度回転自在に設けられている。
【００２５】
また、イオン水生成器１は、通水のための導入口７と導出口８とを浄水カートリッジケース３７の底部に回転自在に配置している。特にこの浄水カートリッジケース３７は、イオン水生成器１よりも寸法を小さくして、その空間（浄水カートリッジ交換蓋３８と対向する側）に導入口７と導出口８を設けているため、この空間内で導入口７と導出口８を回転させることができるのである。これにより、どの側面を設置面にしても設置位置に支障なく水の導入出を可能にすることができる。
【００２６】
次に図２は、イオン水生成器１の幅広の側面１５を設置面とした場合を示している。
特に、出窓カウンターや対面カウンタや吊棚にアルカリイオン生成器１を設置する場合に有効である。
この場合、操作部２は使用者側を向いており、操作しやすくさらに、上面がステンレスなどの金属板を設けた側面とすると、上部へ台所用の備品等の載置が可能となる。
【００２７】
次に図３は、操作部２の長手の側面１６と隣接する幅狭の短手の側面１７を設置面とし縦置きとした場合を示している。
特に幅の狭い場所に設置したいときに図示するように縦長に配置するとよい。この場合においても、操作部２は、使用者側に向いており、操作しやすい。
【００２８】
次に図５には、操作部２の表示を示している。
この操作部２は、イオン水のｐＨの切替やイオン水生成器１の処理情報を表示している。アルカリイオン水、清水（浄水）、酸性水の操作ボタン３がｐＨの順に配列している。
特に、使用者に分かりやすくするために、ｐＨに応じて使用する対象物を表示している。
また、ランプ３ａにより何を選択しているか分かるようにしている。
なお、図５（Ａ）では、図１乃至４に示すように設置形態を変えた場合においても表示が使用者に分かりやすくなるように斜めに表示している。
【００２９】
このように操作部の表示を斜めにしていることで、３側面１８、１９、２０のどの向きにイオン水生成器１を配置しても文字が逆さまとなるようなこと
がなく、使用者に不快感を与えることがない。
また、図５（Ｂ）と図５（Ｃ）の表示の２シートをシールとして用意しておき、設置向きに合わせていずれかを選択して貼付するようにしてもよい。
【００３０】
次に、具体的に台所に本発明のイオン水生成器１を台所シンク周辺に設置した場合の使用状態を図に基づき説明する。
図１および図４は、イオン水生成器１を台所のシンク２６の後方に配置している。
操作部２が上方に向いているため、前方の側面１５に図５（Ｂ）に示すような操作部２の表示シール２ａをさらに貼付してもよい。
この場合、操作部２が見えなくとも、表示シール２ａを手がかりに操作部２の操作ボタン３を押すことができる。
なお、イオン水生成器１の接手８に捨水ホース１２を接続している。
【００３１】
また、吐水管４もシンク２６に向かって配置されている。
特に図１に示すイオン水生成器１の場合、吐水管４は側面１６に対して突設部５が回転自在となって斜め（４５度）方向に向いている構成となっている。そのため、使用するシンク２６側に突設部５を向ける突設部５に連設したフレキシブルホース６をシンク２６内に向けることができる。
【００３２】
つまり、突設部５が回転自在でしかも斜め方向に向いているため、イオン水生成器１の設置形態（向き）を変えても、フレキシブルホース６は常に突設部５からシンク２６までを短い距離長でよく、必要以上に長くする必要がない。そのため、フレキシブルホース６の軌跡は緩やかとなり、台所使用時にフレキシブルホース６が邪魔になることがない。
【００３３】
さらに、この場合、吐水管４を操作部２と同一側面１６に設けているので、操作部２の側面１６以外の５面１５、１７、１８、１９，２０を設置面とすることができる。
【００３４】
次に、台所の出窓カウンター２７などに図３に示すような設置の方法で台所に配置した使用状態を示す。
この場合、上方の側面２０を台所の備品を置くスペースとして利用することができる。
【００３５】
この場合も、操作部２は使用者側の前方に向けて、イオン水生成器１を配置することができる。また、吐水管４もシンク２６側に向けて利用することができるので、フレキシブルホース６を必要以上に長くする必要がなく、台所使用時にフレキシブルホース６が邪魔になることがない。
【００３６】
また、脚２９を取付部１４に取り付けることにより、設置面１５を出窓カウンター２７から浮かせて設置することができるので、生成器本体の汚れ防止とすることができる。
【００３７】
さらに、台所の出窓カウンター２７などに図３に示すような設置の方法で台所に配置した使用状態を示す。
設置面の幅寸法が取れない場合には、このように縦型に配置して利用することができる。
【００３８】
この場合も、操作部２は使用者側の前方に向けて、アルカリイオン生成器１を配置することができる。また、吐水管４もシンク２６側に向けて利用することができるので、フレキシブルホース６を必要以上に長くする必要がなく、台所使用時にフレキシブルホース６が邪魔になることがない。
【００３９】
また、水栓２３からの水供給用の導入口７と捨水を排水するための導出口８を設置に合わせて、幅広の側面２０側とすることができる。そのため、分岐ホース１１や捨水ホース１２が邪魔となることもない。
【００４０】
また、設置面として、幅狭の側面１７を選択し、その側面１７には凹凸のない平面形状とすることができるため、がたつかないように安定してイオン水生成器１を設置することができる。
【００４１】
次に、図８に、台所のシンク２６と水栓２３と水栓２３裏側のバックハンガ２８等の配置寸法について説明する。
シンク２６の種類や水栓２３の設置によって、台所のシンク２６と水栓２３と水栓２３裏側のバックハンガ２８等の配置寸法が異なる。そのため、国内メーカーの１１社の上述する寸法を調査してみた。
【００４２】
設置した水栓２３の裏側の寸法Ａは、５ｍｍから６５ｍｍの範囲に設定されており、ほとんどが３５ｍｍから６５ｍｍ内であった。
また、バックハンガ２８まで含めると、２５ｍｍから８５ｍｍの範囲に設定されており、ほとんどが５０ｍｍ以上であった。
【００４３】
つまり、本発明のイオン生成器１は、前述のように薄型形状のため設置形態を変えることができる。そのため、水栓２３の左右のスペースＣと、さらにシンク横の狭いスペースＤ（作業台でない方の狭いスペース）に設置スペースがない場合であっても、なんらかの設置形態で水栓２３の裏側寸法ＡやＢ内に配置することができる。
したがって、本発明のイオン水生成器１は、ほとんどの台所に設置可能である。
【００４４】
次に、イオン水生成器１の転倒防止部材の使用方法について示す。
図７に示すように、イオン水生成器の設置面１７および１８には、予めインサートナット４２が配備されている。このインサートナット４２に転倒防止部材Ａ（３９）を固定用ねじ４１で固定することで、転倒防止部材Ａ（３９）を生成器本体に取り付けることができる。
【００４５】
転倒防止部材Ａ（３９）は、ステンレス等の金属板をプレスあるいはレーザー加工したものであり、中央部にスリット４３が設けられている。このスリット４３は前記固定用ねじ４１のねじ径よりも若干大きく、且つねじ頭より若干小さいので、スリット４３の領域内で任意の場所にねじ固定することができるので、生成器に対して転倒防止部材Ａ（３９）の前出Ｅを自在に可変することができる。より具体的に転倒防止部材Ａ（３９）を説明すると、その転倒防止部材Ａ（３９）の長さをイオン水生成器１の設置面の短手方向の寸法よりも長くかつ設置面の長手方向の寸法よりも短くしかつ幅を設置面の短手方向の寸法より小さくし、さらに長手方向に沿ってねじ径よりも大きくねじ頭より小さいスリット４３を有した細長形状であり、この転倒防止部材Ａ（３９）を所定の範囲を可動するようにスリット４３を介してねじ４１でイオン水生成器の設置面に固定している。なお、所定の位置に転倒防止部材Ａ（３９）にセットした状態でさらにねじ４１にて転倒防止部材Ａ（３９）が動かないように固定している。
【００４６】
図１のように、生成器設置面の前後に余裕のある場合は、図６の上面図に示すように、転倒防止部材の前出Ｅを生成器本体から均等になるようなスリット４３の位置にねじ固定する。
【００４７】
図３のように生成器設置面１８の片側にしか余裕のない場合は、余裕のある側に前出Ｅを確保するようなスリット位置にねじ固定をして使用することができる。
転倒防止部材は生成装置本体を１０度の傾斜に設置しても転倒しない前出を確保するように設定されている。
【００４８】
また、転倒防止部材Ａ（３９）は金属板であるため、厚みが０．５〜２ｍｍと薄く、ほとんどの台所器具の脚よりも高さが低いため、台所の他の器具が隣に設置された場合でも、前記器具の底部とシンクトップの間に滑り込ませることができるので、他の台所器具との隣接が可能である。転倒防止部材Ａの底面には滑り止めのため、ゴムや塩化ビニルの処理が施してある。
【００４９】
転倒防止部材Ａ（３９）は図７の点線に示すようにその必要がない場合には、装置本体から突出することなく格納することができる。
これは転倒防止部材を完全に取り除く場合と異なり、部材の紛失防止をすることができると同時に、格納した状態においても、部材底面の滑りとめが装置本体の滑りとめとして機能する。
【００５０】
例えば、図２に示す設置状態においては、部材を格納して使用することが好ましい。
【００５１】
次に、転倒防止部材Ｃ（５０）について図１１と図１２に基づき説明する。
図１１に示すように、アルカリイオン水生成器１の設置面の側方から突出するように転倒防止部材Ｃ（５０）は設けられている。この転倒防止部材Ｃ（５０）には、外部を軟質部材で覆われて中心部には雌ねじが形成された保持部５１と、この保持部５１に螺合してねじ調整することで前出寸法を調整することができる平行軸５２と、この平行軸に略垂直に延設しイオン水生成器１の側面に形成した保持孔５４に差し込まれる縦軸５３とから構成されている。
図１２に示すように、保持部５１を平行軸５２に沿ってまわすことで前後に移動させることができる。最も保持部５１の前出を小さくした状態で図１２（Ｂ）のように転倒防止部材Ｃ（５０）を下方にずらして１８０度回転させて図１２（Ｃ）の状態とする。そして、転倒防止部材Ｃ（５０）を上方に上げてアルカリイオン水生成器１の設置面内の収納凹部５５に収納する。
なお、図示しないが、転倒防止部材Ｃ（５０）を設けた側面と対向する側面にも予め保持孔５４を形成しておくとどのような設置場所にも適用が可能となる。
【００５２】
次に、転倒防止部材Ｂ（４０，４５）の使用方法について図４、１３に基づき説明する。
転倒防止部材Ｂは転倒防止部材Ａが設置できない図４にような幅の狭い設置面３０に設置する場合に有効である。
【００５３】
まず、転倒防止部材Ａは生成器本体に格納された状態とする。
転倒防止部材Ｂは、部材Ｂ−１（４０）と部材Ｂ−２（４５）との２部品から構成されている。
そして、部材Ｂ−１（４０）はコの字型の形状をしており、その間口は装置側面の幅よりも若干大きく設定されている。
【００５４】
一方、部材Ｂ−２（４５）はＬ字型をしており、一面を部材Ｂ−１（４０）との接続に使用する面Ｄ−１（４６）、一面を台所壁との固定に使用する面Ｄ−２（４７）という構成をしている。
そして、部材Ｂ−１（４０）には面Ｄ−１（４６）をスライドさせることができる開口もしくは切欠き４０Ａを形成している。
【００５５】
さらに、部材Ｂ−１（４０）にはスリット４３が設けられており、このスリットを介して、任意の場所に面Ｄ−１（４６）とねじ固定されることで、装置本体と面Ｄ−２（４７）の位置関係を可変にすることができるので、結果的に、装置本体と固定する壁との距離が調整できる構成になっている。
面Ｄ−２（４７）には壁固定用の粘着シート等が貼り付けされている。
【００５６】
部材Ｂ−１（４０）は前述の通り、装置本体の側面幅よりも若干大きく設定されている為、本体側面のどの位置にも任意に部材を配置することができる。
部材Ｂ−２（４５）は壁への固定を基本としているが、壁高さが装置本体の高さよりも低い場合であっても、壁の高さに応じて取り付け位置を調整することができるので、設置の制約条件がより小さくなる。
【００５７】
次に図９にて、アルカリイオン生成器１の内部構造を示している。
さらに、図１０に、アルカリイオン生成器１のブロック図を示す。
【００５８】
水道水を水栓２３の先端に設けた切換弁３５で水栓２３のスパウト２５から吐水するかイオン水生成器１に分水するかを選択する。そして、イオン水生成器１側に分水は分岐ホース１１を経由し導入口７より、浄水カートリッジケース３７を介してイオン水生成器１の本体内に搬送する。
【００５９】
さらに、操作部２で設定された情報を制御部３３に送り、この制御部３３からの信号を受け、水温サーミスタ３４で温度を検知し、さらに流量センサ４９で流量を検知し、さらにカルシウムの添加口１３を経由して、電解槽３１に水を供給する。そして、この電解槽３１で水を電解し、アルカリイオン水または酸性水が吐出管４より放出される。そして、そのときに発生した不要な水を導出口８に連結された捨水ホース１２で排水する。
【００６０】
イオン水生成器１に設ける電解槽３１は、無隔膜電解槽を採用することが好ましい。これにより、供給電力が小さくで済み、電源基板（トランス）３２のサイズをコンパクトにすることができるため、イオン水生成器１をより薄型にすることができるのである。
本発明のイオン水生成器１は、約４０ｍｍという薄型を実現することが可能となった。
そのため、上述したようにほとんどの台所に制約なく設置することができる。
【００６１】
なお、これに対して、電解槽３１として隔膜ありの電解槽を用いた場合には、水を電解するためには無隔膜電解槽に比べ供給電力を多く必要とするため、電源基板（トランス）３２が大きくなる。そのため、この電源基板３２をイオン水生成器１の本体とは別体に設けて、本体の薄型を実現することができる。
【００６２】
【発明の効果】
以上の本件発明により、設置場所の制約を受けないイオン水生成器でしかも、設置が安定なイオン水生成装置を提供することができる。そして、台所自体の使用に対して、さらに快適性を向上させることができるアルカリイオン生成器を提供することができる。
つまり、設置形態を変形させ、色々な台所事情に対応することができるので、使用者にとって魅力のある、使い勝手の良いアルカリイオン生成器を提供することが可能となる。
【図面の簡単な説明】
【図１】本発明における一実施の形態であるイオン水生成器を示す。
【図２】本発明における他の一実施の形態であるイオン水生成器を示す。
【図３】本発明における他の一実施の形態であるイオン水生成器を示す。
【図４】本発明における他の一実施の形態であるイオン水生成器を示す。
【図５】図１〜図４の操作部の表示を示す。
【図６】図１の上面図を示す。
【図７】図１の底面図を示す。
【図８】台所の平面図の配置寸法を示す。
【図９】図１のアルカリイオン生成器の内部構造を示す。
【図１０】本発明におけるアルカリイオン生成器のブロック図を示す。
【図１１】本発明におけるアルカリイオン生成器における転倒防止部材の別の実施例を示す。
【図１２】図１１における転倒防止部材のアルカリイオン生成器への収納工程を示す。
【図１３】図４における転倒防止部材の使用方法を示す。
【図１４】従来のアルカリイオン生成器の使用状態を示す。
【符号の説明】
１　イオン水生成器
２　操作部
３　操作ボタン
４　吐水管
５　突設部
６　フレキシブルホース
７　導入口
８　導出口
９　塞ぎ蓋
１０　接手
１１　分岐ホース
１２　捨水ホース
１３　添加口
１４　取付部
１５　幅広の一側面
１６　幅狭（長手）の一側面
１７　幅狭（短手）の一側面
１８　幅狭（長手）の他側面
１９　幅狭（短手）の他側面
２０　幅広の他側面
２１　電源コード
２２　浄水カートリッジ
２３　水栓
２４　浄水器
２５　スパウト
２６　シンク
２７　出窓カウンター
２８　バックハンガー
２９　脚
３０　シンク面の設置面
３１　電解槽
３２　電源基板
３３　制御部
３４　水温サーミスタ
３５　切替弁
３６　電源
３７　浄水カートリッジケース
３８　浄水カートリッジ交換蓋
３９　転倒防止部材Ａ
４０　転倒防止部材Ｂ−１
４１　固定用ビス
４２　インサートナット
４３　スリット
４４　転倒防止部材Ｂ−２
４５　転倒防止部材Ａ（収納時）
４６　面Ｄ−１
４７　面Ｄ−２
４８　台所壁
４９　流量センサ
１００　従来のアルカリイオン生成器
【図１】
2004089960.tif 000003
【図２】
2004089960.tif 000004
【図３】
2004089960.tif 000005
【図４】
2004089960.tif 000006
【図５】
2004089960.tif 000007
【図６】
2004089960.tif 000008
【図７】
2004089960.tif 000009
【図８】
2004089960.tif 000010
【図９】
2004089960.tif 000011
【図１０】
2004089960.tif 000012
【図１１】
2004089960.tif 000013
【図１２】
2004089960.tif 000014
【図１３】
2004089960.tif 000015
【図１４】
2004089960.tif 000016